(57)【要約】【課題】  室内にある空気中の臭気成分、特にカーテンや壁等に付着した臭気成分を効率良く除去でき、尚且つ低コストで設置スペースの小さい空気調和機を提供する。【解決手段】  吸込口６と吹出口７を連通させる送風経路９の途中に送風手段１０と熱交換器１２を設ける。水溜め部１９（３３）と、水溜め部１９（３３）から水を搬送する搬送部２０（３４）と、搬送部２０（３４）の搬送方向の端部に対向する対向電極部２６ａ（３５ａ）と、水溜め部１９（３３）から搬送部２０（３４）の搬送方向の端に至る経路中の水に電圧を印加する水印加電極部２４ａ（３６ａ）と、を備えて、水印加電極部２４ａ（３６ａ）と対向電極部２６ａ（３５ａ）間に高電圧を印加することで静電霧化がなされる静電霧化装置１８（３２）を具備する。該静電霧化装置１８（３２）を送風経路９の熱交換器１２よりも下流側に設ける。【選択図】        図１
2005282873.tif 000002
【特許請求の範囲】
【請求項１】
吸込口と吹出口を連通させる送風経路の途中に、吸込口から空気を吸い込んで吹出口より吹き出す送風手段と、熱交換器とを設けてなる空気調和機において、水溜め部と、水溜め部から水を搬送する多孔質部材によって形成された搬送部と、該搬送部の搬送方向の端部に対向する対向電極部と、水溜め部から搬送部の搬送方向の端に至る経路中の水に電圧を印加する水印加電極部と、を備えて、電圧印加部により前記水印加電極部と対向電極部間に高電圧を印加することで静電霧化がなされる静電霧化装置を具備し、該静電霧化装置を送風経路の熱交換器よりも下流側に設けて成ることを特徴とする空気調和機。
【請求項２】
上記静電霧化装置を送風経路の下流側端部に配設して成ることを特徴とする請求項１記載の空気調和機。
【請求項３】
上記搬送部の搬送方向の端部と該搬送部の搬送方向の端部に対向する対向電極部とで構成された霧化部を吹出口の長手方向に複数配置して成ることを特徴とする請求項２記載の空気調和機。
【請求項４】
上記送風経路の下流側端部に吹出口から吹き出される風の吹き出し方向を変更可能とする回動自在なルーバを設け、該ルーバに上記静電霧化装置を設けて成ることを特徴とする請求項２又は請求項３に記載の空気調和機。
【請求項５】
静電霧化装置で生じた静電ミストを含む空気の一部を送風経路の熱交換器の上流側に戻す空気流路を設けて成ることを特徴とする請求項１〜３のいずれかに記載の空気調和機。
【発明の詳細な説明】
【技術分野】
【０００１】
本発明は脱臭機能を有する空気調和機に関する。
【背景技術】
【０００２】
従来から部屋の空気調和（冷暖房や除湿）を行うにあたっては空気調和機が利用されている。例えば図６に示す空気調和機１′は吸込口６と吹出口７を連通させる送風経路９の途中に、室内空気を吸込口６から吸い込んで吹出口７から吹き出すファン１０と、吸込口６から吸い込まれた室内空気と冷媒との間で熱交換を行う熱交換器１２とを設けてあり、熱交換器１２により送風経路９を流れる室内空気を加熱又は冷却して空気調和を行うものである。
【０００３】
上記空気調和機には脱臭機能を有したものがあり、この空気調和機としては例えば図６に示す吸込口６に設けたフィルタにより臭気成分を吸着したり、また例えば特許文献１に示すように送風経路の途中に設けた酸化分解機能を有する触媒層を備えた脱臭ユニットにより臭気成分を吸着するものがある。しかしながら上記脱臭機能を有する空気調和機は吸込口から吸い込まれた空気中に含まれる臭気成分を取り除いて脱臭を行うものにすぎず、室内にある空気中に含まれる臭気成分を除去するものではなく、このような空気調和機にあっては特にカーテンや壁等に付着した臭気成分を取り除くことができなかった。また上記空気調和機にあっては熱交換器によって結露が生じやすく、このため送風経路内にカビ等が発生して臭気が発生しやすく、送風経路に流入した空気に含まれる臭気成分を上記フィルタや脱臭ユニットにより取り除いたとしても、臭気成分を取り除いた箇所よりも下流側の送風経路内の臭いが室内に吹き出されるといった問題がある。
【０００４】
また近年では空気調和機ではないが、水溜め部と、水溜め部から水を搬送する多孔質部材によって形成された搬送部と、該搬送部の搬送方向に対向するように配置した対向電極部と、水溜め部から搬送部の搬送方向の端に至る経路中の水に電圧を印加する水印加電極部と、を有する静電霧化装置を具備すると共に、前記静電霧化装置の水印加電極部と対向電極部間に高電圧を印加した際に生じる粒子径がナノメータサイズの静電ミストを室内に散布するファンを具備し、ファンにより室内に散布した前記静電ミストが有する活性種によって室内にある空気中に含まれる臭気成分を除去する静電霧化機が利用されている。しかしこの静電霧化機は冷暖房や除湿を行うことができず、このため従来では冷暖房や除湿を行うと共にカーテンや壁等に付着した臭気成分を取り除く場合には、上記空気調和機と静電霧化機の両方を併用する必要があるためコストがかかり、また大きな設置スペースが必要となるといった問題があった。
【０００５】
そこで本発明者は本発明に至る過程において上記空気調和機の送風経路の熱交換器よりも上流側に静電霧化装置を設け、静電霧化装置によって生じたミストを室内に送るファンとして空気調和機に備わっているファンを兼用した静電霧化装置付き空気調和機を想起した。しかしながら空気調和機の熱交換器は静電霧化装置の下流側に吸込口から吸い込まれた空気との接触面積が大きくなるようにフィン等を設けることで表面積を大きくしてあるため、静電霧化装置により生じたミストが熱交換器と接触してしまい、これによりミストを効率良く室内に散布することができないといった問題が生じる。
【特許文献１】特開平１１−１４１９０６号公報
【発明の開示】
【発明が解決しようとする課題】
【０００６】
本発明は上記従来の問題点に鑑みて発明したものであって、送風経路内の臭気成分や室内空気中に元々含まれる臭気成分を取り除いた脱臭空気を室内に吹き出すことができ、しかも静電ミストを含む空気を室内に吹き出すことができて室内にある空気中の臭気成分、特にカーテンや壁等に付着した臭気成分を効率良く除去でき、尚且つ低コストで設置スペースの小さい空気調和機を提供することを課題とする。
【課題を解決するための手段】
【０００７】
上記課題を解決するために本発明に係る空気調和機は、吸込口６と吹出口７を連通させる送風経路９の途中に、吸込口６から空気を吸い込んで吹出口７より吹き出す送風手段１０と、熱交換器１２とを設けてなる空気調和機１において、水溜め部１９（３３）と、水溜め部１９（３３）から水を搬送する多孔質部材によって形成された搬送部２０（３４）と、該搬送部２０（３４）の搬送方向の端部に対向する対向電極部２６ａ（３５ａ）と、水溜め部１９（３３）から搬送部２０（３４）の搬送方向の端に至る経路中の水に電圧を印加する水印加電極部２４ａ（３６ａ）と、を備えて、電圧印加部２７により前記水印加電極部２４ａ（３６ａ）と対向電極部２６ａ（３５ａ）間に高電圧を印加することで静電霧化がなされる静電霧化装置１８（３２）を具備し、該静電霧化装置１８（３２）を送風経路９の熱交換器１２よりも下流側に設けて成ることを特徴とする。
【０００８】
静電霧化装置１８（３２）の静電霧化により生じた活性種を含む静電ミスト２３で室内空気に元々含まれる臭気成分及び送風経路９を通ることによって付いたカビ臭等の臭気成分を除去した臭いのない空気とできて、吹出口７より吹き出される空気を脱臭でき、さらにはこの静電ミスト２３を含む空気を送風手段１０による送風に乗せて室内全域に散布することができるため、空気調和と同時に前記静電ミスト２３にて室内の脱臭を行うことができ、室内にある空気中の臭気成分、特に室内壁面やカーテン等に付着した臭気成分を除去することができ、しかも従来から空気調和機に備えてある送風手段１０を利用して静電霧化装置１８（３２）で生じた静電ミスト２３を室内に送ることができるため、大幅にコストアップしたり大型化することなく活性種を含む静電ミスト２３を室内に散布できる。さらには静電霧化装置１８（３２）を熱交換器１２よりも下流側に設けてあるので、吹出口７から吹き出されることとなる空気に含まれる静電ミスト２３は送風経路９を流れている際に表面積の大きな熱交換器１２に接触することがなく、これにより静電霧化装置１８によって生じた静電ミスト２３を効率良く室内に散布できる。
【０００９】
また上記静電霧化装置１８（３２）を送風経路９の下流側端部に配設することも好ましい。このように静電霧化装置１８（３２）を送風経路９の吹出口７近傍である下流側端部に配設することで、静電ミスト２３をさらに効率良く室内に散布できる。
【００１０】
また上記搬送部２０（３４）の搬送方向の端部と該搬送部２０（３４）の搬送方向の端部に対向する対向電極部２６ａ（３５ａ）とで構成された霧化部３０（３９）を吹出口７の長手方向に複数配置することも好ましい。これにより吹出口７から吹き出される空気には均一に静電ミスト２３が含まれることとなり、一層効率良く静電ミスト２３を室内に散布できる。
【００１１】
また上記送風経路９の下流側端部に吹出口７から吹き出される風の吹き出し方向を変更可能とする回動自在なルーバ８を設け、該ルーバ８に上記静電霧化装置３２を設けることも好ましい。ルーバ８によって室内全域に静電ミスト２３を散布でき、しかも送風に含まれる静電ミスト２３がルーバ８に接触し難くなり、ルーバ８によって変更される風の吹き出し方向に関わらず静電ミスト２３を送風手段１０によって室内に効率良く散布できる。
【００１２】
また静電霧化装置１８で生じた静電ミスト２３を含む空気の一部を送風経路９の熱交換器１２の上流側に戻す空気流路３１を設けることも好ましい。静電霧化装置１８で生じた静電ミスト２３によって空気調和機１に内装された熱交換器１２や送風経路９にある臭気成分を取り除くことができる。
【発明の効果】
【００１３】
本発明では、送風経路内の臭気成分や室内空気中に元々含まれる臭気成分を取り除いた脱臭空気を室内に吹き出すことができ、しかも静電ミストを含む空気を吹出口から吹き出すことで、室内にある空気中の臭気成分、特にカーテンや壁等に付着した臭気成分を効率良く除去でき、尚且つ低コストで設置スペースの小さい空気調和機を提供できる。
【発明を実施するための最良の形態】
【００１４】
まず図１に基づいて本実施形態の空気調和機の基本的構成について説明する。本実施形態の空気調和機１は室内機であって、該空気調和機１はその外殻を形成する左右方向に長い筐体２の後面部３を被空調室となる部屋の壁面に沿わせて設置される。筐体２の上面部４及び前面部５の上側程後側に位置するように傾斜した上部５ａには吸込口６を設けてあり、筐体２の前面部５の上側程前側に位置するように傾斜した下部５ｂには左右方向に長い吹出口７を設けている。吹出口７は複数の吹出孔７ａで構成されており、具体的には前記筐体２の前面部５の下部５ｂに左右方向に長い開口４０を形成し、該開口４０に長手方向全長に亙って鉛直面内で回動自在な水平ルーバ８を複数枚平行に設け、これにより前記開口４０を上下に離間した複数枚の水平ルーバ８によって複数の吹出孔７ａに分割し、これら吹出孔７ａで前記吹出口７を構成してある。ここで前記水平ルーバ８は開口から前方に突出した前端を上下に振るように鉛直面内で自動（手動であっても良い）で回動することで吹出口７から吹き出される風の吹き出し方向を上下に変更するものである。
【００１５】
上記筐体２には吸込口６と吹出口７を連通させる送風経路９を形成している。送風経路９の途中には室内空気を吸込口６から吸い込んでこの空気を吹出口７から室内へ吹き出すファン１０（送風手段）を設けている。送風経路９の上流側端部には吸込口６から吸い込まれた空気中に含まれる塵や埃を吸着するための空気清浄フィルタ１１を配設してあり、該空気清浄フィルタ１１は筐体２の前面部５の前記吸込口６を有する上部５ａの内面側及び上面部４の内面側の夫々に配設されている。ここで空気清浄フィルタ１１には吸込口６から送風経路９に流入した室内空気中に含まれる臭い成分を吸着する触媒が塗布されているものとする。
【００１６】
送風経路９の空気清浄フィルタ１１よりも下流側で且つファン１０の上流側には冷凍サイクルの一部をなす熱交換器１２を設けている。熱交換器１２は吸込口６から送風経路９内に流入した室内空気と図示しない室外機から送られた冷媒との間で熱交換し、これにより吸込口６より送風経路９内に流入した室内空気の冷却又は加熱を行うものであり、筐体２の前面部５の上部５ａ及び上面部４及び後面部３に沿うように筐体２内に配設されている。
【００１７】
また筐体２内には熱交換器１２及びファン１０の下方に位置し熱交換器１２の表面で結露した水を受けるドレンパン１３を配設している。ドレンパン１３には一端が筐体２外部に連通する排水ホース１４の他端を連通接続してあり、該排水ホース１４によりドレンパン１３に溜まった結露水を屋外に排出できるようになっている。ドレンパン１３の後端と筐体２の後面部３の内面との間には筐体２内のドレンパン１３の上方空間１５とドレンパン１３の下方空間１６とを連通させる隙間１７を形成してあり、これにより上流側から順に言うと吸込口６、ドレンパン１３の上方空間１５、前記隙間１７、ドレンパン１３の下方空間１６、吹出口７、を通る送風経路９が形成される。
【００１８】
上記空気調和機１を用いて空気調和を行う場合はファン１０を運転する。ファン１０を運転することで室内空気は吸込口６から送風経路９に流入し、この後空気清浄フィルタ１１で塵や埃が除去されると共に空気清浄フィルタ１１に塗布した触媒で脱臭され、この後熱交換器１２を通って加熱又は冷却されて空気調和され、この調和された空気がファン１０を通って吹出口７より室内へ吹き出される。
【００１９】
そして本発明の空気調和機１においては、室内にある空気中の臭気成分、特にカーテンや壁等に付着した臭気成分を除去できるようにするために、送風経路９の熱交換器１２及びファン１０よりも下流側に静電霧化を行ってナノメータサイズの粒子径を有する静電ミスト２３（以下単に静電ミスト２３と称す）を生じさせる静電霧化装置１８を配設してある。
【００２０】
静電霧化装置１８は送風経路９の下流側端部の下底部に着脱自在に取付けたものであって、図２に示すように霧化されることとなる水を収容する下部に配設した水溜め部１９と、水溜め部１９内の水を搬送する上下に長い棒状の搬送部２０と、搬送部２０の搬送方向の端部に対向する上部に配設した対向電極部２６ａと、水溜め部１９から搬送部２０の搬送方向の端に至る経路中の水に電圧を印加する水印加電極部２４ａとを備えている。
【００２１】
詳述すると本例の静電霧化装置１８は外殻が平面視左右方向に長い略長方形状で且つ長手方向の長さが吹出口７の長手方向の長さと略同じ略箱状をしており、絶縁体によって形成されると共に上方に開口する容器状の前記水溜め部１９と、水溜め部１９の上面に載設された板状の水印加電極２４と、該水印加電極２４に保持された複数本の前記搬送部２０と、水印加電極２４の上面に載設された保持部２５と、保持部２５の上面に載設されて前記複数の搬送部２０の上位にある板状の対向電極２６と、からなる。
【００２２】
上記複数の搬送部２０は吹出口７の長手方向（即ち左右方向）に等間隔で一列に並べて配設されている。この搬送部２０は多孔質セラミック又は多孔質金属合金等の多孔質部材によって形成されることで吸水性を有しており、毛細管現象で水溜め部１９内の水を対向電極２６側の端である上端（即ち搬送方向の端）まで吸い上げて搬送するものである。搬送部２０は上端が針状に尖っており、対向電極２６側の部分である上部が水印加電極２４よりも上方に突出し、水溜め部１９側の部分である下部が水印加電極２４よりも下方に突出して上記水溜め部１９内に収容した霧化させることになる水と接触している。
【００２３】
平面視で左右方向に長い長方形状で且つ筒状の保持部２５は上記複数本の搬送部２０の上部を囲むように配設されており、該筒状の保持部２５の四方の側壁部の内、送風方向に直交する側壁部（即ち前壁部２５ａ及び後壁部２５ｂ）の各搬送部２０に対応する部分には通風孔２２を夫々穿設してある。
【００２４】
平面視で左右方向に長い略長方形状の水印加電極２４と対向電極２６は共にカーボンのような導電材料を混入した合成樹脂やＳＵＳのような金属で形成されることで導電性を有しており、水印加電極２４及び対向電極２６の夫々の長手方向の端部は筐体２に内装した高電圧発生源となる電圧印加部２７に電気的に接続されている。
【００２５】
水印加電極２４は水溜め部１９の上面に着脱自在に取付けられており、使用者は筐体２から静電霧化装置１８を取り外すと共に水溜め部１９から水印加電極２４を取り外すことで水溜め部１９に溜められる水を簡単に補給できるようになっている。水印加電極２４には円形の保持孔部２８を吹出口７の長手方向に複数穿設してあり、各保持孔部２８には上記搬送部２０が挿通した状態で保持されている。そして図示例では各保持孔部２８の搬送部２０の中間部の外周に接する周縁部を水溜め部１９から搬送部２０の上端に至る経路中の水に電圧を印加する水印加電極部２４ａとしている。
【００２６】
対向電極２６は搬送部２０よりも上位に配されており、該対向電極２６には各搬送部２０の上端部（即ち搬送方向の端部）に対向する箇所に上下に貫通して保持部２７内と送風経路９を連通させる円形開口部２９を穿設している。円形開口部２９は吹出口７の長手方向に並べて設けてあり、図示例では各円形開口部２９を対向電極部２６ａとしている。即ち搬送部２０の上端部と該搬送部２０の上端部に対向する対向電極部２６ａとで構成された霧化部３０を吹出口７の長手方向に複数配置してあり、これら霧化部３０は等間隔で一列に並んでいる。なお搬送部２０の上端部である針状部２０ａの先端は上方から見て対向電極部２６ａの中心に位置しているものとする。
【００２７】
そして搬送部２０に毛細管現象で水を吸い上げさせ、さらに電圧印加部２７により対向電極２６及び水印加電極２４に水にレイリー分裂を起こさせることができる程度の高電圧を印加することで、搬送部２０の針状部２０ａに達した水は針状部２０ａの先端でレイリー分裂を起こして静電ミスト２３を生じさせる静電霧化がなされ、この静電霧化によって生じた静電ミスト２３は静電霧化装置１８の各対向電極部２６ａから送風経路９に向けて上方に吹き出される。即ち電圧印加部２７により水印加電極２４及び対向電極２６間に高電圧を印加すると共に搬送部２０が毛細管現象で水を吸い上げている時に、搬送部２０の針状部２０ａの先端が水印加電極２４側の実質的な電極として機能し、同時に各保持孔部２８（対向電極部２６ａ）の周縁部が対向電極２６側の実質的な電極として機能することとなる。ここで上記電圧印加部２７は水印加電極部部２４ａ及び対向電極２６ａ間に５００Ｖ／ｍｍ以上の電解強度を与えるものが好ましいものとする。
【００２８】
上記静電霧化装置１８を備えた空気調和機１を用いて室内の脱臭を行う場合はファン１０を運転すると共に上述したように電圧印加部２７により水印加電極部２４ａと対向電極部２６ａ間に高電圧を印加して静電霧化装置１８を運転する。これにより静電霧化で生じた活性種を有する静電ミスト２３にて、吹出口７から吹き出される空気を送風経路９内の臭気成分や元々室内空気中に含まれている臭気成分を除去した脱臭空気とでき、しかも前記静電霧化で生じた活性種を有する静電ミスト２３はファン１０による送風に乗って室内全域に散布されることとなり、この静電ミスト２３が有する活性種により室内にある空気中の臭気成分、特に室内壁面やカーテン等に付着した臭気成分を除去することができ、さらには上記臭気成分の除去と同時に空気調和を行うこともできる。このように本実施形態の空気調和機１は従来から空気調和機に備わっているファン１０を利用して静電霧化装置１８で生じた静電ミスト２３を室内に送ることができるため、大幅にコストアップしたり大型化することなく室内の臭気成分を取り除くことができる。
【００２９】
また上記した空気調和機１にあっては、静電霧化装置１８を熱交換器１２よりも下流側に配設してあるため、ファン１０による送風によって送風経路９を流れる静電ミスト２３がフィン等により表面積を大きくした熱交換器１２に接触することがなく、これにより静電霧化装置１８によって生じた静電ミスト２３を効率良く室内に散布できる。また静電霧化装置１８は上記したように送風経路９の吹出口７近傍である下流側端部に配設してあるので、静電ミスト２３をさらに効率良く室内に散布できるようになっている。さらには前述したように搬送部２０の上端部（針状部２０ａ）と該搬送部２０の搬送方向に対向するように配置された対向電極部２６ａとで構成された霧化部３０を吹出口７の長手方向に複数配置してあるので、吹出口７から吹き出される空気には均一に静電ミスト２３が含まれることとなり、一層効率良く静電ミスト２３を室内全域に散布できる。さらには上記したように静電霧化装置１８の保持部２５の周面部には通風孔２２を穿設してあるので保持部２５内にある静電ミスト２３をファン１０による送風に乗せることができる。
【００３０】
次に上記実施形態とは異なる実施形態について説明する。なお図１の実施形態と同一の構成については同一の番号を付与してあり、重複する説明については説明を省略する。
【００３１】
本実施形態では図３に示すように静電霧化装置１８で生じた静電ミスト２３を含む空気の一部を送風経路９の熱交換器１２の上流側に戻す空気流路３１を設けている。該空気流路３１は配管によって構成されており、該空気流路３１の一端は送風経路９における静電霧化装置１８の対向電極部２６ａの直上（即ち静電霧化装置１８から静電ミスト２３が散布される箇所）に連通しており、また該空気流路３１の他端は空気清浄フィルタ１１の下流側で且つ熱交換器１２の上流側に連通している。これによりファン１０を運転すると共に静電霧化装置１８の運転をした場合には、静電霧化装置１８から散布された静電ミスト２３がファン１０により送られた空気に乗り、この後該静電ミスト２３を含む空気の一部が空気流路３１を通って送風経路９の熱交換器１２の上流側に流入し、残りが空気流路３１を通らずに吹出口７から吹き出される。ここで上記空気流路３１により熱交換器１２の上流側に戻された空気の一部はすぐに熱交換器１２を通った後、ファン１０よりも下流側に送られる。このように静電霧化装置１８で生じた静電ミスト２３を含む空気の一部を空気流路３１により熱交換器１２の上流側に戻すことで、この空気に含まれる静電ミスト２３によって空気調和機１に内装された熱交換器１２や送風経路９にある臭気成分を取り除くことができる。
【００３２】
次に上記実施形態とは異なる実施形態について説明する。なお本実施形態では図４に示すように静電霧化装置３２を上記図１の実施形態における水平ルーバ８に設けた点に特徴があり、図１の実施形態と同一の構成については同一の番号を付与してあり、重複する説明については説明を省略する。
【００３３】
本実施形態の水平ルーバ８は静電霧化装置３２で構成されており、以下該静電霧化装置３２について説明する。なお以下の静電霧化装置３２の説明では、鉛直面内で回動自在となった水平ルーバ８（即ち静電霧化装置３２）を水平にして吹出口７から吹き出される風の吹き出し方向を前方にした時におけるものとし、即ち水平ルーバ８の厚み方向を上下方向と規定して説明する。
【００３４】
静電霧化装置３２は、図１の実施形態と同様、霧化されることとなる水を収容する水溜め部３３と、水溜め部３３内の水を搬送する上下に長い棒状の搬送部３４と、搬送部３４の搬送方向の端部に対向する対向電極部３５ａと、水溜め部３３から搬送部３４の搬送方向の端に至る経路中の水に電圧を印加する水印加電極部３６ａとを備えている。
【００３５】
詳述すると、静電霧化装置３２は、絶縁体によって形成されて左右方向に長く上方に開口する浅底の容器３７と、容器３７内に配設されたフェルトのような優れた吸水性を有する吸水体からなる前記水溜め部３３と、容器３７の外周壁部に保持された片状の水印加電極３６と、容器３７の底板部に立設した複数本の前記搬送部３４と、容器３７の開口を覆うように容器３７の上端面に載設した板状の対向電極３５からなり、容器３７と対向電極３５とからなる静電霧化装置３２の外殻は左右方向に長い箱状をしている。そしてこの静電霧化装置３２の外殻を筐体２の前面部５の下部５ｂに設けた開口に回動自在に取付けることで、静電霧化装置１は吹出口７から吹き出される風の吹き出し方向を変更する水平ルーバ８としての役割を果たす。
【００３６】
上記複数の搬送部３４は容器３７の底面部に吹出口７の長手方向（即ち左右方向）に等間隔で一列に並べて立設されている。この搬送部３４は多孔質セラミック又は多孔質金属合金等の多孔質部材によって形成されることで吸水性を有しており、毛細管現象で水溜め部３３内の水を対向電極３５側の端である上端（即ち搬送方向の端）まで吸い上げて搬送するものである。この搬送部３４は上端が針状に尖っており、水溜め部３３側の部分である下部が水溜め部３３に吸水した水と接触している。
【００３７】
片状の水印加電極３６と平面視で左右方向に長い略長方形状の対向電極３５はカーボンのような導電材料を混入した合成樹脂やＳＵＳのような金属で形成されることで導電性を有しており、対向電極３５の左右方向の一端部及び水印加電極３６の容器３２の外周壁から外方に突出した端部は共に電圧印加部２７に電気的に接続されている。
【００３８】
対向電極３５は複数の搬送部３４よりも上位に位置しており、該対向電極３５には各搬送部３４の上端部に対向する箇所に上下に貫通する円形開口部３８を穿設している。円形開口部３８は吹出口７の長手方向に並べて設けてあり、図示例ではこれら円形開口部３８を対向電極部３５ａとしている。即ち本例でも搬送部３４の搬送方向の端部（針状部３４ａ）と該搬送部３４の搬送方向の端部に対向する対向電極部３５ａとで構成された霧化部３９を吹出口７の長手方向に複数配置してあり、これら霧化部３９は等間隔で一列に並んでいる。また本例でも搬送部３４の搬送方向の端部である針状部３４ａの先端は上方から見て円形開口部３８の中心に位置しているものとする。なお上記対向電極３５は吸水体からなる水溜め部３３に水を供給できるように容器３７の開口側の端面に着脱自在に取付けられていても良いものとする。
【００３９】
水印加電極３６の前記電圧印加部２７に接続した側と反対側の端部は容器３７の外周壁部より内方に突出しており水溜め部３３に吸水された水に接触している。即ち本例ではこの水溜め部３３に接触した水印加電極３６の端部を水印加電極部３６ａとしている。
【００４０】
そして上記図１の実施形態と同様に電圧印加部２７により対向電極３５及び水印加電極３６に高電圧を印加することで、搬送部３４の針状部３４ａに達した水は針状部３４ａの先端でレイリー分裂を起こして静電ミスト２３を生じさせる静電霧化がなされ、この静電霧化によって生じた静電ミスト２３は静電霧化装置３２の上部に配される各対向電極部３５ａから上方に吹き出されて上下に隣接する水平ルーバ８、８間に形成された空間に散布される。
【００４１】
このように本実施形態では水平ルーバ８に静電霧化装置３２を設けてあるので、静電霧化装置３２で発生した静電ミスト２３は上下に隣接した水平ルーバ８間の空間に臨む各対向電極部３５ａから上方に吹き出され、この後水平ルーバ８間を流れるファン１０からの送風に乗って吹出口７（吹出孔７ａ）より吹き出されることとなり、これにより静電ミスト２３が吹出口７から吹き出される際に水平ルーバ８に接触し難くなり、水平ルーバ８によって変更される風の吹き出し方向に関わらず静電ミスト２３をファン１０によって室内により効率良く散布することができる。また本実施形態の静電霧化装置３２の水溜め部３３は吸水体により構成してあるため、水平ルーバ８を構成する静電霧化装置３２によって吹出口７から吹き出される風の吹き出し方向を変更するにあたって静電霧化装置３２を水平よりも傾けた状態とした際に容器３７から霧化されることとなる水がこぼれることを防止できる。
【図面の簡単な説明】
【００４２】
【図１】本発明の実施の形態の一例を示す空気調和機の概略側断面図である。
【図２】同上の静電霧化装置を示す斜視図である。
【図３】異なる実施の形態の一例を示す空気調和機の概略側断面図である。
【図４】更に異なる実施の形態の一例を示す空気調和機の概略側断面図である。
【図５】同上の静電霧化装置の概略正断面図である。
【図６】従来の空気調和機の概略側断面図である。
【符号の説明】
【００４３】
１  空気調和機
６  吸込口
７  吹出口
８  ルーバ
９  送風経路
１０  送風手段
１２  熱交換器
１９  水溜め部
２０  搬送部
２３  ミスト
２４ａ  水印加電極部
２６ａ  対向電極部
２７  電圧印加部
３１  空気流路
３３  水溜め部
３４  搬送部
３５ａ  対向電極部
３６ａ  水印加電極部
【図１】
2005282873.tif 000003
【図２】
2005282873.tif 000004
【図３】
2005282873.tif 000005
【図４】
2005282873.tif 000006
【図５】
2005282873.tif 000007
【図６】
2005282873.tif 000008